(57)【要約】【課題】利用可能なアプリケーションを任意に選択可能であって、かつ、外力等によっても情報の書き込み及び読み出しが不可能になることを回避する。【解決手段】アンテナ２２がその両端にランド部２３ａ，２３ｂを有して形成されたカード本体２０と、互いに所定の間隔を有する２つのランド部１４ａ，１４ｂが内部に形成されるとともに、アンテナ２２を介して非接触状態にて情報の書き込み及び読み出しが可能なＩＣチップ１３がランド部１４ａ，１４ｂを跨ぐように接続されて内蔵されたラベル１０とを設け、ラベル１０を、ラベル１０を構成するベースシート１１及び接着層１２によって所定の静電容量を有してアンテナ２２とＩＣチップ１３とがランド部２３ａ，２３ｂ及びランド部１４ａ，１４ｂを介して結合するようにカード本体２０上に剥離可能に貼付する。【選択図】  図１
2004295774.tif 000002
【特許請求の範囲】
【請求項１】
コイル状のアンテナと、該アンテナを介して非接触状態にて情報の書き込み及び読み出しが可能なＩＣチップとを少なくとも有してなる非接触型情報記録媒体において、
前記アンテナがその両端に第１の導電領域を有して形成された第１の基材と、
互いに所定の間隔を有する２つの第２の導電領域が内部に形成されるとともに、前記ＩＣチップが前記２つの第２の導電領域に接続されて内蔵された第２の基材とを有し、
前記第２の基材は、少なくとも前記第２の基材によって所定の静電容量を有して前記アンテナと前記ＩＣチップとが前記第１の導電領域及び前記第２の導電領域を介して結合するように前記第１の基材上に取り外し可能に装着されていることを特徴とする非接触型情報記録媒体。
【請求項２】
請求項１に記載の非接触型情報記録媒体において、
前記第２の基材は、剥離可能なラベルからなることを特徴とする非接触型情報記録媒体。
【請求項３】
請求項１または請求項２に記載の非接触型情報記録媒体において、
前記第１の基材と前記第２の基材とは、外形が同一であることを特徴とする非接触型情報記録媒体。
【請求項４】
請求項３に記載の非接触型情報記録媒体において、
前記第２の基材は、前記第１の基材上に装着された際に表面に露出する面に情報が印字されていることを特徴とする非接触型情報記録媒体。
【請求項５】
請求項１または請求項２に記載の非接触型情報記録媒体において、
前記第１の基材は、前記第２の導電領域が形成された部分に、前記第２の基材が埋め込み可能となる凹部を有することを特徴とする非接触型情報記録媒体。
【請求項６】
請求項１または請求項２に記載の非接触型情報記録媒体において、
前記第１の基材は、携帯電話機の筐体であることを特徴とする非接触型情報記録媒体。
【発明の詳細な説明】
【０００１】
【発明の属する技術分野】
本発明は、非接触状態にて情報の書き込み及び読み出しが可能な非接触型情報記録媒体に関する。
【０００２】
【従来の技術】
近年、情報化社会の進展に伴って、情報をカードに記録し、該カードを用いた情報管理や決済等が行われている。
【０００３】
このような情報管理や決済等に用いられるカードは、ＩＣチップが内蔵されたＩＣカードや、磁気により情報が書き込まれた磁気カード等があり、専用の装置を用いて情報の書き込み及び読み出しが行われる。
【０００４】
さらに、ＩＣカードにおいては、情報の書き込み及び読み出しを専用の装置に接触させることにより行う接触型ＩＣカードと、専用の装置に近接させるだけで情報の書き込み及び読み出しを行うことができる非接触型ＩＣカードがある。これらのＩＣカードは、磁気カードと比較してセキュリティ性が高いとともに書き込み可能な情報量が多く、また、１枚のカードを多目的に使用できるため、市場における普及度は増加の一途を辿っている。また、その中でも、非接触型ＩＣカードにおいては、情報の書き込みあるいは読み出しを行う際、カードを取り出して専用の装置に挿入したりする必要がなく取り扱いに便利なため、そのカード及び該カードに書き込まれた情報を読み取るための装置の急速な普及が進みつつある。
【０００５】
図５は、従来の非接触型ＩＣカードの構造の一例を示す図であり、（ａ）は内部構造を示す図、（ｂ）は断面図である。
【０００６】
本従来例における非接触型ＩＣカードは図５に示すように、樹脂シート５１５上に、外部からの情報の書き込み及び読み出しが可能なＩＣチップ５１１が搭載されるとともに、ＩＣチップ５１１の接続端子５１４を介してＩＣチップ５１１と接続され、外部に設けられた情報書込／読出装置（不図示）からの電磁誘導によりＩＣチップ５１１に電流を供給し、ＩＣチップ５１１に対する情報の書き込み及び読み出しを非接触状態にて行うための導電性のコイル形状からなるアンテナ５１２が形成されたインレット５１０が、コア材５２０ａ，５２０ｂ及び表面シート５３０ａ，５３０ｂに挟まれるようにこれらが積層されて構成されている。なお、ＩＣチップ５１１は、接続端子５１４によってアンテナ５１２と接続された状態で、接着剤５１６によって樹脂シート５１５に接着されている。
【０００７】
上記のように構成された非接触型ＩＣカードにおいては、外部に設けられた情報書込／読出装置に近接させることにより、情報書込／読出装置からの電磁誘導によりコイル形状のアンテナ５１２に電流が流れ、その電流がアンテナ５１２からＩＣチップ５１１に供給され、それにより、非接触状態において、情報書込／読出装置からＩＣチップ５１１に情報が書き込まれたり、ＩＣチップ５１１に書き込まれた情報が情報書込／読出装置にて読み出されたりする。
【０００８】
上述したような非接触状態にて情報の書き込み及び読み出しが可能な非接触型ＩＣカードにおいては、利用されるアプリケーション毎にそのアプリケーションにて用いられる情報を予め書き込んでおけば、利用者は、所望のアプリケーションに用いられる情報が書き込まれたカードを用いて所望のアプリケーションを利用することができる。このようなカードを用いたアプリケーションとしては、交通機関等における運賃決済や、イベント等における来場者管理等が挙げられる。
【０００９】
ところが、上述した非接触型ＩＣカードのような非接触型情報記録媒体においては、その用途毎に、その用途に用いられる情報が書き込まれたカードをユーザが所持する必要があるため、用途分のカードを発行する必要があり、ユーザが利用する用途の数が多い場合、カードを発行するために多大なコストがかかってしまう。
【００１０】
そこで、ＩＣチップ内のメモリを、利用可能とするアプリケーションの数に応じて複数の領域に分割し、それぞれの分割領域を複数のアプリケーション毎に独立したメモリ空間として使用するようにすることにより、１枚の非接触型ＩＣカードで複数のアプリケーションを利用可能とする技術が考えられている。このような非接触型ＩＣカードにおいては、利用可能なアプリケーションの処理プログラムがＩＣチップ内のメモリの分割された領域毎にそれぞれ書き込まれており、非接触型ＩＣカードに対して情報の書き込み及び読み出しを行うリーダ／ライタ側にてアプリケーションが選択され、それにより、非接触型ＩＣカードが選択されたアプリケーションにて利用可能となる（例えば、特許文献１参照。）。
【００１１】
また、非接触状態にて情報の書き込み及び読み出しが可能なＩＣチップが内蔵されたＩＣカードと、ＩＣカードが収納可能に構成され、ＩＣカードが収納された場合にＩＣチップに接続されてＩＣカードに設けられた接点と接触することによりＩＣチップと接続されるアンテナが形成されたケースとからなる情報記録媒体が考えられている。このような情報記録媒体においては、ＩＣカードがケースに収納されると、ＩＣチップに接続されてＩＣカードに設けられた接点と、アンテナと接続されてケースに設けられた接点とが接触し、それにより、ＩＣチップとアンテナと電気的に接続され、アンテナを介してのＩＣチップに対する情報の書き込み及び読み出しが行われることになる（例えば、特許文献２参照。）。そのため、この情報記録媒体を用いれば、ユーザが利用する用途の数が多い場合であっても、ＩＣチップが内蔵されたＩＣカードのみを発行すればよく、それにより、コスト低減を図ることができる。
【００１２】
【特許文献１】
特開２００１−１６７２４１号公報
【特許文献２】
特開平１１−２１９４１８号公報
【００１３】
【発明が解決しようとする課題】
しかしながら、上述したように複数のアプリケーションを利用可能な従来の非接触型情報記録媒体においては、利用可能なアプリケーションにおける処理プログラムが予め格納されているため、複数のアプリケーションが選択的に利用可能ではあるものの、利用可能なアプリケーションを変更することができないという問題点がある。
【００１４】
また、利用可能なアプリケーションを変更可能な場合であっても、ＩＣチップに書き込まれた処理プログラムを変更しなければならず、手間がかかってしまうという問題点がある。
【００１５】
また、ＩＣチップが内蔵されたＩＣカードと、ＩＣカードが収納可能に構成され、ＩＣカードが収納された場合にＩＣチップに接続されてＩＣカードに設けられた接点と接触することによりＩＣチップと接続されるアンテナが形成されたケースとからなる情報記録媒体においては、ＩＣカードがケースに収納された場合に、ＩＣチップに接続されてＩＣカードに設けられた接点と、アンテナと接続されてケースに設けられた接点とが接触することにより、ＩＣチップとアンテナと電気的に接続され、アンテナを介してのＩＣチップに対する情報の書き込み及び読み出しが行われることになるため、ＩＣチップに対して情報の書き込み及び読み出しを行う場合は、接点どうしの接触が必要条件となる。そのため、外力が加わった場合等において接点どうしの接触が保たれなくなった場合、ＩＣチップに対する情報の書き込み及び読み出しが不可能となってしまうという問題点がある。また、接点が露出しているため、接点が錆付いたり、破壊されてしまったりする虞れがある。
【００１６】
本発明は、上述したような従来の技術が有する問題点に鑑みてなされたものであって、利用可能なアプリケーションを任意に選択可能であって、かつ、外力等によっても情報の書き込み及び読み出しが不可能になりにくい非接触型情報記録媒体を提供することを目的とする。
【００１７】
【課題を解決するための手段】
上記目的を達成するために本発明は、
コイル状のアンテナと、該アンテナを介して非接触状態にて情報の書き込み及び読み出しが可能なＩＣチップとを少なくとも有してなる非接触型情報記録媒体において、
前記アンテナがその両端に第１の導電領域を有して形成された第１の基材と、
互いに所定の間隔を有する２つの第２の導電領域が内部に形成されるとともに、前記ＩＣチップが前記２つの第２の導電領域に接続されて内蔵された第２の基材とを有し、
前記第２の基材は、少なくとも前記第２の基材によって所定の静電容量を有して前記アンテナと前記ＩＣチップとが前記第１の導電領域及び前記第２の導電領域を介して結合するように前記第１の基材上に取り外し可能に装着されていることを特徴とする。
【００１８】
また、前記第２の基材は、剥離可能なラベルからなることを特徴とする。
【００１９】
また、前記第１の基材と前記第２の基材とは、外形が同一であることを特徴とする。
【００２０】
また、前記第２の基材は、前記第１の基材上に装着された際に表面に露出する面に情報が印字されていることを特徴とする。
【００２１】
また、前記第１の基材は、前記第２の導電領域が形成された部分に、前記第２の基材が埋め込み可能となる凹部を有することを特徴とする。
【００２２】
また、前記第１の基材は、携帯電話機の筐体であることを特徴とする。
【００２３】
（作用）
上記のように構成された本発明においては、コイル状のアンテナが形成された第１の基材と、第１の基材に対して着脱可能に構成され、アンテナを介して非接触状態にて情報の書き込み及び読み出しが可能なＩＣチップが内蔵された第２の基材とからなり、第１の基材が第２の基材に装着されると、少なくとも第２の基材によって所定の静電容量を有してアンテナとＩＣチップとが、コイル状のアンテナの両端に形成された第１の導電領域及びＩＣチップに接続されて形成された第２の導電領域を介して結合することになるので、この状態で外部に設けられた情報書込／読出装置に近接させると、情報書込／読出装置からの電磁誘導によりコイル形状のアンテナに電流が流れ、その電流がアンテナから第１及び第２の導電領域を介してＩＣチップに供給され、それにより、非接触状態において、情報書込／読出装置からＩＣチップに情報が書き込まれたり、ＩＣチップに書き込まれた情報が情報書込／読出装置にて読み出されたりする。
【００２４】
このように、情報の書き込み及び読み出しが行われるＩＣチップと、ＩＣチップに対して非接触状態にて情報の書き込み及び読み出しを行うためのアンテナとが別個の基材に設けられており、これらの基材が互いに着脱可能であり、かつ、ＩＣチップとアンテナとが非接触状態にて結合されるので、利用可能なアプリケーションを任意に選択可能でありながらも、外力が加わった場合においても、接触不良等が原因となって情報の書き込みあるいは読み出しが不可能となることがなくなる。
【００２５】
【発明の実施の形態】
以下に、本発明の実施の形態について図面を参照して説明する。
【００２６】
（第１の実施の形態）
図１は、本発明の非接触型情報記録媒体の第１の実施の形態を示す図であり、（ａ）は内部構造を示す図、（ｂ）は（ａ）に示したＡ−Ａ’断面図、（ｃ）は（ａ）に示したラベル１０の構造を示す図、（ｄ）は（ｃ）に示したＢ−Ｂ’断面図、（ｅ）は（ａ）に示したカード本体２０の構造を示す図、（ｆ）は（ｅ）に示したＣ−Ｃ’断面図である。
【００２７】
本形態は図１に示すように、コイル状のアンテナ２２が形成された第１の基材であるカード本体２０の所定の領域に、非接触状態にて情報の書き込み及び読み出しが可能なＩＣチップ１３が内蔵された第２の基材であるラベル１０が剥離可能に貼付されて構成されている。ラベル１０は、裏面に接着層１２が積層された紙や樹脂シート等からなるベースシート１１上に、所定の間隔を有して第２の導電領域である２つのランド部１４ａ，１４ｂが形成され、ランド部１４ａ，１４ｂを跨ぐようにＩＣチップ１３が搭載され、さらにその上に表面シート１５が積層されて構成されている。また、カード本体２０は、ベース基材２１上に、コイル状のアンテナ２２が形成されるとともに、アンテナ２２の両端には所定の面積を有する第１の導電領域であるランド２３ａ，２３ｂがそれぞれ形成されて構成されている。
【００２８】
上記のように構成された非接触型情報記録媒体においては、カード本体２０の所定の領域にラベル１０を貼付すると、ラベル１０に設けられたランド部１４ａ，１４ｂとカード本体２０に設けられたランド部２３ａ，２３ｂとが、ベースシート１１及び接着層１２を介してそれぞれ対向するようになる。そのために、カード本体２０のラベル１０が貼付される面には、ラベル１０が貼付された場合に、ラベル１０に設けられたランド部１４ａ，１４ｂとカード本体２０に設けられたランド部２３ａ，２３ｂとが、ベースシート１１及び接着層１２を介してそれぞれ対向するようになる領域が示されており、また、ランド部１４ａ，１４ｂとランド部２３ａ，２３ｂは、その領域にラベル１０が貼付された場合に互いに対向するような位置に、ランド部１４ａ，１４ｂにおいてはラベル１０に、また、ランド部２３ａ，２３ｂにおいてはカード本体２０にそれぞれ設けられている。
【００２９】
ラベル１０に設けられたランド部１４ａ，１４ｂとカード本体２０に設けられたランド部２３ａ，２３ｂとが、ベースシート１１及び接着層１２を介してそれぞれ対向すると、ランド部１４ａ，１４ｂとランド部２３ａ，２３ｂとをそれぞれ両電極としたコンデンサが形成されることになり、ランド部１４ａ，１４ｂ及びランド部２３ａ，２３ｂの面積と、ベースシート１１及び接着層１２の材質及び厚さとから決まる静電容量を有して、ＩＣチップ１３とアンテナ２２とがランド部１４ａ，１４ｂ及びランド部２３ａ，２３ｂを介して結合されることになる。
【００３０】
これにより、上述した非接触型情報記録媒体を、外部に設けられた情報書込／読出装置に近接させると、情報書込／読出装置からの電磁誘導によりコイル形状のアンテナ２２に電流が流れ、その電流がアンテナ２２からランド部２３ａ，２３ｂ及びランド部１４ａ，１４ｂを介してＩＣチップ１３に供給され、それにより、非接触状態において、情報書込／読出装置からＩＣチップ１３に情報が書き込まれたり、ＩＣチップ１３に書き込まれた情報が情報書込／読出装置にて読み出されたりすることになる。
【００３１】
また、ラベル１０は、カード本体２０から剥離可能に構成されているので、利用するアプリケーションを変更する場合は、該アプリケーションを利用可能なＩＣチップ１３が内蔵されたラベル１０に貼り替えて非接触型情報記録媒体を使用することになる。この際、カード本体２０は複数のアプリケーションにて共通に使用可能であり、ラベル１０のみを取り替えるだけで所望のアプリケーションを利用可能となるため、複数のアプリケーションを利用する場合であっても、カード発行のために多大なコストがかかってしまうことがなくなる。また、カード本体２０に設けられたアンテナ２２とラベル１０に設けられたＩＣチップ１３とは、ランド部１４ａ，１４ｂ及びランド部２３ａ，２３ｂを介して非接触状態にて結合されることになるので、アンテナ２２とＩＣチップ１３とを接続するための接点を設ける必要がなく、外力が加わった場合においても、接触不良等が原因となって情報の書き込みあるいは読み出しが不可能となることがなくなる。
【００３２】
なお、本形態においては、コイル状のアンテナ２２の両端に設けられたランド部２３ａ，２３ｂが、カード本体２０の表面に露出するように形成されているが、ランド部２３ａ，２３ｂがカード本体２０に内蔵されるように形成されていても構わない。その場合、カード本体２０の所定の領域にラベル１０を貼付すると、ラベル１０に設けられたランド部１４ａ，１４ｂとカード本体２０に設けられたランド部２３ａ，２３ｂとが、ベースシート１１、接着層１２及びベース基材２１を介してそれぞれ対向するようになり、ランド部１４ａ，１４ｂ及びランド部２３ａ，２３ｂの面積と、ベースシート１１、接着層１２及びベース基材２１の材質と、ランド部１４ａ，１４ｂとランド部２３ａ，２３ｂとの間の距離とから決まる静電容量を有して、ＩＣチップ１３とアンテナ２２とがランド部１４ａ，１４ｂ及びランド部２３ａ，２３ｂを介して結合されることになる。
【００３３】
（第２の実施の形態）
図２は、本発明の非接触型情報記録媒体の第２の実施の形態を示す図であり、（ａ）は内部構造を示す図、（ｂ）は（ａ）に示したＡ−Ａ’断面図、（ｃ）は（ａ）に示したカード部材１１０の構造を示す図、（ｄ）は（ｃ）に示したＢ−Ｂ’断面図、（ｅ）は（ａ）に示したカード部材１２０の構造を示す図、（ｆ）は（ｅ）に示したＣ−Ｃ’断面図である。
【００３４】
本形態は図２に示すように、コイル状のアンテナ１２２が形成された第１の基材であるカード部材１２０と、カード部材１２０と同一形状を有し、非接触状態にて情報の書き込み及び読み出しが可能なＩＣチップ１１３が内蔵された第２の基材であるカード部材１１０とが重なり合うように接着層１３０を介して剥離可能に貼付されて構成されている。カード部材１１０は、ベース基材１１１内に、所定の間隔を有して第２の導電領域である２つのランド部１１４ａ，１１４ｂが形成され、ランド部１１４ａ，１１４ｂを跨ぐようにＩＣチップ１１３が内蔵されて構成されている。また、カード部材１２０は、ベース基材１２１上に、コイル状のアンテナ１２２が形成されるとともに、アンテナ１２２の両端には所定の面積を有する第１の導電領域であるランド１２３ａ，１２３ｂがそれぞれ形成されて構成されている。
【００３５】
上記のように構成された非接触型情報記録媒体においては、カード部材１２０とカード部材１１０とを互いに重なり合うように接着層１３０を介して貼付すると、カード部材１１０に設けられたランド部１１４ａ，１１４ｂとカード本体１２０に設けられたランド部１２３ａ，１２３ｂとが、ベース基材１１１及び接着層１３０を介してそれぞれ対向するようになる。そのために、ランド部１１４ａ，１１４ｂとランド部１２３ａ，１２３ｂは、カード部材１１０とカード部材１２０とが重なり合うように貼付された場合に互いに対向するような位置に、ランド部１１４ａ，１１４ｂにおいてはカード部材１１０に、また、ランド部１２３ａ，１２３ｂにおいてはカード部材１２０にそれぞれ設けられている。なお、ランド部１１４ａ，１１４ｂ及びランド部１２３ａ，１２３ｂは、カード部材１１０がカード部材１２０に対してどのような向きであっても、互いに重なり合うように貼付された場合に互いに対向するような位置に設けられている。
【００３６】
カード部材１１０に設けられたランド部１１４ａ，１１４ｂとカード部材１２０に設けられたランド部１２３ａ，１２３ｂとが、ベース基材１１１及び接着層１３０を介してそれぞれ対向すると、ランド部１１４ａ，１１４ｂとランド部１２３ａ，１２３ｂとをそれぞれ両電極としたコンデンサが形成されることになり、ランド部１１４ａ，１１４ｂ及びランド部１２３ａ，１２３ｂの面積と、ベース基材１１１及び接着層１３０の材質と、ランド部１１４ａ，１１４ｂとランド部１２３ａ，１２３ｂとの間の距離とから決まる静電容量を有して、ＩＣチップ１１３とアンテナ１２２とがランド部１１４ａ，１１４ｂ及びランド部１２３ａ，１２３ｂを介して結合されることになる。
【００３７】
これにより、上述した非接触型情報記録媒体を、外部に設けられた情報書込／読出装置に近接させると、情報書込／読出装置からの電磁誘導によりコイル形状のアンテナ１２２に電流が流れ、その電流がアンテナ１２２からランド部１２３ａ，１２３ｂ及びランド部１１４ａ，１１４ｂを介してＩＣチップ１１３に供給され、それにより、非接触状態において、情報書込／読出装置からＩＣチップ１１３に情報が書き込まれたり、ＩＣチップ１１３に書き込まれた情報が情報書込／読出装置にて読み出されたりすることになる。
【００３８】
また、カード部材１１０は、カード部材１２０から剥離可能に構成されているので、利用するアプリケーションを変更する場合は、該アプリケーションを利用可能なＩＣチップ１１３が内蔵されたカード部材１１０をカード部材１２０に貼り替えて非接触型情報記録媒体を使用することになる。この際、カード部材１２０は複数のアプリケーションにて共通に使用可能であり、カード部材１１０のみを取り替えるだけで所望のアプリケーションを利用可能となるため、複数のアプリケーションを利用する場合であっても、カード発行のために多大なコストがかかってしまうことがなくなる。また、カード部材１０に設けられたアンテナ１２２とカード部材１１０に設けられたＩＣチップ１１３とは、ランド部１１４ａ，１１４ｂ及びランド部１２３ａ，１２３ｂを介して非接触状態にて結合されることになるので、アンテナ１２２とＩＣチップ１１３とを接続するための接点を設ける必要がなく、外力が加わった場合においても、接触不良等が原因となって情報の書き込みあるいは読み出しが不可能となることがなくなる。
【００３９】
以下に、上述したような非接触型情報記録媒体の使用方法について、図２に示した非接触型情報記録媒体をイベントにおける来場者管理に利用する場合を例に挙げて説明する。
【００４０】
まず、来場予定者には、ＩＣチップ１１３が内蔵されたカード部材１１０を送付しておく。カード部材１１０に内蔵されたＩＣチップ１１３には、イベントに関する情報や、来場予定者に関する情報を予め書き込んでおく。また、カード部材１１０の表面には、来場予定者の氏名等、来場予定者に関する情報を印刷しておく。
【００４１】
来場予定者がカード部材１１０を持参してイベント会場に来場した際、受付等において、来場予定者が持参したカード部材１１０にカード部材１２０を、カード部材１１０とカード部材１２０とが互いに重なり合うように接着層１３０を介して貼付する。なお、接着層１３０においては、カード部材１１０に剥離紙（不図示）とともに貼付しておいてもよいし、カード部材１２０に貼付しておいてもよい。
【００４２】
カード部材１２０とカード部材１１０とが互いに重なり合うように接着層１３０を介して貼付されると、カード部材１１０に設けられたランド部１１４ａ，１１４ｂとカード本体１２０に設けられたランド部１２３ａ，１２３ｂとが、ベース基材１１１及び接着層１３０を介してそれぞれ対向するようになる。
【００４３】
カード部材１１０に設けられたランド部１１４ａ，１１４ｂとカード部材１２０に設けられたランド部１２３ａ，１２３ｂとが、ベース基材１１１及び接着層１３０を介してそれぞれ対向すると、ランド部１１４ａ，１１４ｂとランド部１２３ａ，１２３ｂとをそれぞれ両電極としたコンデンサが形成されることになり、ランド部１１４ａ，１１４ｂ及びランド部１２３ａ，１２３ｂの面積と、ベース基材１１１及び接着層１３０の材質と、ランド部１１４ａ，１１４ｂとランド部１２３ａ，１２３ｂとの間の距離とから決まる静電容量を有して、ＩＣチップ１１３とアンテナ１２２とがランド部１１４ａ，１１４ｂ及びランド部１２３ａ，１２３ｂを介して結合されることになる。
【００４４】
これにより、この非接触型情報記録媒体を、外部に設けられた情報書込／読出装置に近接させると、情報書込／読出装置からの電磁誘導によりコイル形状のアンテナ１２２に電流が流れ、その電流がアンテナ１２２からランド部１２３ａ，１２３ｂ及びランド部１１４ａ，１１４ｂを介してＩＣチップ１１３に供給され、それにより、非接触状態において、情報書込／読出装置からＩＣチップ１１３に情報が書き込まれたり、ＩＣチップ１１３に書き込まれた情報が情報書込／読出装置にて読み出されたりすることになり、それにより、イベント会場において、非接触型情報記録媒体を用いた来場者管理が行われる。
【００４５】
その後、来場者がイベント会場を去る際、イベント会場の受付等において、カード部材１１０とカード部材１２０とを剥離し、カード部材１２０のみを回収し、カード部材１１０は来場者に渡す。
【００４６】
カード基材１１０は、表面に来場者に関する情報が印刷されているとともに、内蔵されたＩＣチップ１１３にイベントに関する情報や来場者に関する情報が書き込まれているため、再利用することが困難であるが、カード部材１２０は、アンテナ１２２とランド部１２３ａ，１２３ｂが設けられているだけであるため、回収し、再利用が可能である。
【００４７】
このように、カード基材１２０の再利用が可能であることにより、製造コストを低減することができる。
【００４８】
なお、本形態においては、コイル状のアンテナ１２２の両端に設けられたランド部１２３ａ，１２３ｂが、カード部材１２０の表面に露出するように形成されているが、ランド部１２３ａ，１２３ｂがカード部材１２０に内蔵されるように形成されていても構わない。その場合、カード部材１１０とカード部材１２０とを貼り合わせると、カード部材１１０に設けられたランド部１１４ａ，１１４ｂとカード部材１２０に設けられたランド部１２３ａ，１２３ｂとが、ベース基材１１１、接着層１３０及びベース基材１２１を介してそれぞれ対向するようになり、ランド部１１４ａ，１１４ｂ及びランド部１２３ａ，１２３ｂの面積と、ベース基材１１１，１２１及び接着層１３０の材質と、ランド部１１４ａ，１１４ｂとランド部１２３ａ，１２３ｂとの間の距離とから決まる静電容量を有して、ＩＣチップ１１３とアンテナ１２２とがランド部１１４ａ，１１４ｂ及びランド部１２３ａ，１２３ｂを介して結合されることになる。
【００４９】
また、ランド部１１４ａ，１１４ｂとランド部１２３ａ，１２３ｂとの位置関係を、予め決められた組み合わせのものでないと互いに対向しないように設定すれば、カード部材１１０とカード部材１２０とが予め決められた組み合わせである場合のみ、ＩＣチップ１１３に対する情報の書き込み及び読み出しが可能となり、セキュリティ性を向上させることができる。また、ランド部１１４ａ，１１４ｂとランド部１２３ａ，１２３ｂとの大きさについても、それにより、静電容量を変えることで、カード部材１１０とカード部材１２０との組み合わせによって、ＩＣチップ１１３に対する情報の書き込み及び読み出しを制限することができる。
【００５０】
（第３の実施の形態）
図３は、本発明の非接触型情報記録媒体の第３の実施の形態を示す図であり、（ａ）は内部構造を示す図、（ｂ）は（ａ）に示したＡ−Ａ’断面図、（ｃ）は（ａ）に示したＩＣユニット２１０の構造を示す図、（ｄ）は（ｃ）に示したＢ−Ｂ’断面図、（ｅ）は（ａ）に示したカード本体２２０の構造を示す図、（ｆ）は（ｅ）に示したＣ−Ｃ’断面図である。
【００５１】
本形態は図３に示すように、コイル状のアンテナ２２２が形成された第１の基材であるカード本体２２０に、非接触状態にて情報の書き込み及び読み出しが可能なＩＣチップ２１３が内蔵された第２の基材であるＩＣユニット２１０が取り外し可能に嵌め込まれて構成されている。ＩＣユニット２１０は、ベース基材２１１内に、所定の間隔を有して第２の導電領域である２つのランド部２１４ａ，２１４ｂが形成され、ランド部２１４ａ，２１４ｂを跨ぐようにＩＣチップ２１３が内蔵されて構成されている。また、カード本体２２０は、ベース基材２２１上に、コイル状のアンテナ２２２が形成されるとともに、アンテナ２２２の両端には所定の面積を有する第１の導電領域であるランド部２２３ａ，２２３ｂがそれぞれ形成されており、また、ランド部２２３ａ，２２３ｂが形成された領域にＩＣユニット２１０が嵌め込まれる凹部２２４が形成されて構成されている。
【００５２】
上記のように構成された非接触型情報記録媒体においては、カード本体２２０に設けられた凹部２２４にＩＣユニット２１０を嵌め込むと、ＩＣユニット２１０に設けられたランド部２１４ａ，２１４ｂとカード本体２２０に設けられたランド部２２３ａ，２２３ｂとが、ベース基材２１１を介してそれぞれ対向するようになる。そのために、ランド部２１４ａ，２１４ｂとランド部２２３ａ，２２３ｂは、ＩＣユニット２１０が凹部２２４に嵌め込まれた場合に互いに対向するような位置に、ランド部２１４ａ，２１４ｂにおいてはＩＣユニット２１０に、また、ランド部２２３ａ，２２３ｂにおいてはカード本体２２０にそれぞれ設けられている。
【００５３】
ＩＣユニット２１０に設けられたランド部２１４ａ，２１４ｂとカード本体２２０に設けられたランド部２２３ａ，２２３ｂとが、ベース基材２１１を介してそれぞれ対向すると、ランド部２１４ａ，２１４ｂとランド部２２３ａ，２２３ｂとをそれぞれ両電極としたコンデンサが形成されることになり、ランド部２１４ａ，２１４ｂ及びランド部２２３ａ，２２３ｂの面積と、ベース基材２１１の材質と、ランド部２１４ａ，２１４ｂとランド部２２３ａ，２２３ｂとの間の距離とから決まる静電容量を有して、ＩＣチップ２１３とアンテナ２２２とがランド部２１４ａ，２１４ｂ及びランド部２２３ａ，２２３ｂを介して結合されることになる。
【００５４】
これにより、上述した非接触型情報記録媒体を、外部に設けられた情報書込／読出装置に近接させると、情報書込／読出装置からの電磁誘導によりコイル形状のアンテナ２２２に電流が流れ、その電流がアンテナ２２２からランド部２２３ａ，２２３ｂ及びランド部２１４ａ，２１４ｂを介してＩＣチップ２１３に供給され、それにより、非接触状態において、情報書込／読出装置からＩＣチップ２１３に情報が書き込まれたり、ＩＣチップ２１３に書き込まれた情報が情報書込／読出装置にて読み出されたりすることになる。
【００５５】
また、ＩＣユニット２１０は、カード本体２２０に設けられた凹部２２４に取り外し可能に嵌め込まれているので、利用するアプリケーションを変更する場合は、該アプリケーションを利用可能なＩＣチップ２１３が内蔵されたＩＣユニット２１０を凹部２２４に嵌め込んで非接触型情報記録媒体を使用することになる。この際、カード本体２２０は複数のアプリケーションにて共通に使用可能であり、ＩＣユニット２１０のみを取り替えるだけで所望のアプリケーションを利用可能となるため、複数のアプリケーションを利用する場合であっても、カード発行のために多大なコストがかかってしまうことがなくなる。また、カード本体２２０に設けられたアンテナ２２２とＩＣユニット２１０に設けられたＩＣチップ２１３とは、ランド部２１４ａ，２１４ｂ及びランド部２２３ａ，２２３ｂを介して非接触状態にて結合されることになるので、アンテナ２２２とＩＣチップ２１３とを接続するための接点を設ける必要がなく、外力が加わった場合においても、接触不良等が原因となって情報の書き込みあるいは読み出しが不可能となることがなくなる。
【００５６】
なお、本形態においては、コイル状のアンテナ２２２の両端に設けられたランド部２２３ａ，２２３ｂが、カード本体２２０の表面に露出するように形成されているが、ランド部２２３ａ，２２３ｂがカード本体２２０に内蔵されるように形成されていても構わない。その場合、カード本体２２０に設けられた凹部２２４にＩＣユニット２１０を嵌め込むと、ＩＣユニット２１０に設けられたランド部２１４ａ，２１４ｂとカード本体２２０に設けられたランド部２２３ａ，２２３ｂとが、ベース基材２１１，２２１を介してそれぞれ対向するようになり、ランド部２１４ａ，２１４ｂ及びランド部２２３ａ，２２３ｂの面積と、ベース基材２１１，２２１の材質と、ランド部２１４ａ，２１４ｂとランド部２２３ａ，２２３ｂとの間の距離とから決まる静電容量を有して、ＩＣチップ２１３とアンテナ２２２とがランド部２１４ａ，２１４ｂ及びランド部２２３ａ，２２３ｂを介して結合されることになる。
【００５７】
（第４の実施の形態）
図４は、本発明の非接触型情報記録媒体の第４の実施の形態となる携帯電話機を示す図であり、（ａ）は斜視図、（ｂ）は内部構造を示す図、（ｃ）は（ｂ）に示したＡ−Ａ’断面図、（ｄ）は（ｂ）に示したＩＣユニット３１０の構造を示す図、（ｅ）は（ｄ）に示したＢ−Ｂ’断面図、（ｆ）は（ｂ）に示した筐体３２０のアンテナ３２２周辺構造を示す図、（ｇ）は（ｆ）に示したＣ−Ｃ’断面図である。
【００５８】
本形態は図４に示すように、コイル状のアンテナ３２２が形成された第１の基材である携帯電話機の筐体３２０に、非接触状態にて情報の書き込み及び読み出しが可能なＩＣチップ３１３が内蔵された第２の基材であるＩＣユニット３１０が取り外し可能に収納されて構成されている。ＩＣユニット３１０は、ベース基材３１１内に、所定の間隔を有して第２の導電領域である２つのランド部３１４ａ，３１４ｂが形成され、ランド部３１４ａ，３１４ｂを跨ぐようにＩＣチップ３１３が内蔵されて構成されている。また、筐体３２０は、内部にコイル状のアンテナ３２２が形成されるとともに、アンテナ３２２の両端には所定の面積を有する第１の導電領域であるランド部３２３ａ，３２３ｂがそれぞれ形成されており、また、ランド部３２３ａ，３２３ｂが形成された領域にＩＣユニット３１０が収納可能な収納部３２４が設けられて構成されている。
【００５９】
上記のように構成された非接触型情報記録媒体においては、筐体３２０に設けられた収納部３２４にＩＣユニット３１０を収納すると、ＩＣユニット３１０に設けられたランド部３１４ａ，３１４ｂと筐体３２０に設けられたランド部３２３ａ，３２３ｂとが、ベース基材３１１を介してそれぞれ対向するようになる。そのために、ランド部３１４ａ，３１４ｂとランド部３２３ａ，３２３ｂとは、ＩＣユニット３１０が収納部３２４に収納された場合に互いに対向するような位置に、ランド部３１４ａ，３１４ｂにおいてはＩＣユニット３１０に、また、ランド部３２３ａ，３２３ｂにおいては筐体３２０にそれぞれ設けられている。
【００６０】
ＩＣユニット３１０に設けられたランド部３１４ａ，３１４ｂと筐体３２０に設けられたランド部３２３ａ，３２３ｂとが、ベース基材３１１を介してそれぞれ対向すると、ランド部３１４ａ，３１４ｂとランド部３２３ａ，３２３ｂとをそれぞれ両電極としたコンデンサが形成されることになり、ランド部３１４ａ，３１４ｂ及びランド部３２３ａ，３２３ｂの面積と、ベース基材３１１の材質と、ランド部３１４ａ，３１４ｂとランド部３２３ａ，３２３ｂとの間の距離とから決まる静電容量を有して、ＩＣチップ３１３とアンテナ３２２とがランド部３１４ａ，３１４ｂ及びランド部３２３ａ，３２３ｂを介して結合されることになる。
【００６１】
これにより、上述したような非接触型情報記録媒体となる携帯電話機を、外部に設けられた情報書込／読出装置に近接させると、情報書込／読出装置からの電磁誘導によりコイル形状のアンテナ３２２に電流が流れ、その電流がアンテナ３２２からランド部３２３ａ，３２３ｂ及びランド部３１４ａ，３１４ｂを介してＩＣチップ３１３に供給され、それにより、非接触状態において、情報書込／読出装置からＩＣチップ３１３に情報が書き込まれたり、ＩＣチップ３１３に書き込まれた情報が情報書込／読出装置にて読み出されたりすることになる。
【００６２】
また、ＩＣユニット３１０は、筐体３２０に設けられた収納部３２４に取り外し可能に収納されているので、利用するアプリケーションを変更する場合は、該アプリケーションを利用可能なＩＣチップ３１３が内蔵されたＩＣユニット３１０を収納部３２４に収納して携帯電話機を使用することになる。これにより、所望のアプリケーションを利用可能なＩＣチップ３１３が内蔵されたＩＣユニット３１０を収納部３２４に適宜収納することにより、１つの携帯電話機を用いて複数のアプリケーションを利用することができるようになる。
【００６３】
また、筐体３２０に設けられたアンテナ３２２とＩＣユニット３１０に設けられたＩＣチップ３１３とは、ランド部３１４ａ，３１４ｂ及びランド部３２３ａ，３２３ｂを介して非接触状態にて結合されることになるので、アンテナ３２２とＩＣチップ３１３とを接続するための接点を設ける必要がなく、接触不良等が原因となって情報の書き込みあるいは読み出しが不可能となることがなくなる。
【００６４】
なお、本形態においては、コイル状のアンテナ３２２の両端に設けられたランド部３２３ａ，３２３ｂが、筐体３２０の収納部３２４内にて露出するように形成されているが、ランド部３２３ａ，３２３ｂが収納部３２４内にて露出しないように形成されていても構わない。その場合、筐体３２０に設けられた収納部３２４にＩＣユニット３１０を収納すると、ＩＣユニット３１０に設けられたランド部３１４ａ，３１４ｂと筐体３２０に設けられたランド部３２３ａ，３２３ｂとが、ベース基材３１１及び携帯電話機の筐体を介してそれぞれ対向するようになり、ランド部３１４ａ，３１４ｂ及びランド部３２３ａ，３２３ｂの面積と、ベース基材３１１及び携帯電話機の筐体の材質と、ランド部３１４ａ，３１４ｂとランド部３２３ａ，３２３ｂとの間の距離とから決まる静電容量を有して、ＩＣチップ３１３とアンテナ３２２とがランド部３１４ａ，３１４ｂ及びランド部３２３ａ，３２３ｂを介して結合されることになる。
【００６５】
また、本形態においては、筐体３２０にＩＣユニット３１０を収納可能な収納部３２４を設け、収納部３２４にＩＣユニット３１０を収納することにより、筐体３２０に形成されたアンテナ３２２を介してＩＣユニット３１０のＩＣチップ３１３に対する情報の書き込み及び読み出しを可能としているが、第１の実施の形態にて説明したような、ラベル状のＩＣユニットを筐体３２０に貼付することにより、筐体３２０に形成されたアンテナ３２２を介してＩＣユニット３１０のＩＣチップ３１３に対する情報の書き込み及び読み出しを可能とすることも考えられる。
【００６６】
【発明の効果】
以上説明したように本発明においては、コイル状のアンテナと、該アンテナを介して非接触状態にて情報の書き込み及び読み出しが可能なＩＣチップとを少なくとも有してなる非接触型情報記録媒体において、アンテナがその両端に第１の導電領域を有して形成された第１の基材と、互いに所定の間隔を有する２つの第２の導電領域が内部に形成されるとともに、ＩＣチップが２つの第２の導電領域に接続されて内蔵された第２の基材とを有し、第２の基材が、少なくとも第２の基材によって所定の静電容量を有してアンテナとＩＣチップとが第１の導電領域及び第２の導電領域を介して結合するように第１の基材上に取り外し可能に装着されている構成としたため、利用可能なアプリケーションを任意に選択可能でありながらも、外力が加わった場合においても、接触不良等が原因となって情報の書き込みあるいは読み出しが不可能となることを回避することができる。
【図面の簡単な説明】
【図１】本発明の非接触型情報記録媒体の第１の実施の形態を示す図であり、（ａ）は内部構造を示す図、（ｂ）は（ａ）に示したＡ−Ａ’断面図、（ｃ）は（ａ）に示したラベルの構造を示す図、（ｄ）は（ｃ）に示したＢ−Ｂ’断面図、（ｅ）は（ａ）に示したカード本体の構造を示す図、（ｆ）は（ｅ）に示したＣ−Ｃ’断面図である。
【図２】本発明の非接触型情報記録媒体の第２の実施の形態を示す図であり、（ａ）は内部構造を示す図、（ｂ）は（ａ）に示したＡ−Ａ’断面図、（ｃ）は（ａ）に示したカード部材の構造を示す図、（ｄ）は（ｃ）に示したＢ−Ｂ’断面図、（ｅ）は（ａ）に示したカード部材の構造を示す図、（ｆ）は（ｅ）に示したＣ−Ｃ’断面図である。
【図３】本発明の非接触型情報記録媒体の第３の実施の形態を示す図であり、（ａ）は内部構造を示す図、（ｂ）は（ａ）に示したＡ−Ａ’断面図、（ｃ）は（ａ）に示したＩＣユニットの構造を示す図、（ｄ）は（ｃ）に示したＢ−Ｂ’断面図、（ｅ）は（ａ）に示したカード本体の構造を示す図、（ｆ）は（ｅ）に示したＣ−Ｃ’断面図である。
【図４】本発明の非接触型情報記録媒体の第４の実施の形態となる携帯電話機を示す図であり、（ａ）は斜視図、（ｂ）は内部構造を示す図、（ｃ）は（ｂ）に示したＡ−Ａ’断面図、（ｄ）は（ｂ）に示したＩＣユニットの構造を示す図、（ｅ）は（ｄ）に示したＢ−Ｂ’断面図、（ｆ）は（ｂ）に示した筐体のアンテナ周辺構造を示す図、（ｇ）は（ｆ）に示したＣ−Ｃ’断面図である。
【図５】従来の非接触型ＩＣカードの構造の一例を示す図であり、（ａ）は内部構造を示す図、（ｂ）は断面図である。
【符号の説明】
１０    ラベル
１１    ベースシート
１２    接着層
１３，１１３，２１３，３１３    ＩＣチップ
１４ａ，１４ｂ，２３ａ，２３ｂ，１１４ａ，１１４ｂ，１２３ａ，１２３ｂ，２１４ａ，２１４ｂ，２２３ａ，２２３ｂ，３１４ａ，３１４ｂ，３２３ａ，３２３ｂ    ランド部
１５    表面シート
２０，２２０    カード本体
２１，１２１，２１１，２２１，３１１    ベース基材
２２，１２２，２２２，３２２    アンテナ
１１０，１２０    カード部材
２１０，３１０    ＩＣユニット
２２４    凹部
３２０    筐体
３２４    収納部
【図１】
2004295774.tif 000003
【図２】
2004295774.tif 000004
【図３】
2004295774.tif 000005
【図４】
2004295774.tif 000006
【図５】
2004295774.tif 000007